(57)【要約】【課題】オンラインを停止することなくＲＡＩＤグループを停止させることにより、低消費電力を実現できる磁気ディスクシステムを提供する。【解決手段】数多くの小容量ドライブで構成されたＲＡＩＤグループと、少ない数の大容量ドライブで構成されたＲＡＩＤグループとを備え、アクセス頻度の高い時間帯は、数多くの小容量ドライブで構成されたＲＡＩＤグループを稼働させ、アクセス頻度の低い時間帯は少ない数の大容量ドライブで構成されたＲＡＩＤグループを稼働させる。  小容量ドライブで構成されたＲＡＩＤグループと大容量ドライブで構成されたＲＡＩＤグループは、稼働の入れ替わるときに互いの差分データをコピーすることにより、稼働しているＲＡＩＤグループは常に最新のデータを保持することができる。【選択図】図１
2008257638.tif 000002
【特許請求の範囲】
【請求項１】
ＲＡＩＤを構成した磁気ディスク群を複数備えた磁気ディスク記憶装置と、前記磁気ディスク記憶装置を制御する制御装置と、を有する磁気ディスクシステムであって、
前記磁気ディスク記憶装置は、設定された第１の時間帯に電源が入っておりそれ以外の時間帯は電源が切れている第１の磁気ディスク群と、設定された第２の時間帯に電源が入っておりそれ以外の時間帯は電源が切れている第２の磁気ディスク群とを備え、
前記第２の磁気ディスク群は、前記第１の磁気ディスク群よりも少ない台数の磁気ディスクで構成され、
前記制御装置は、
前記第１の磁気ディスク群と前記第２の磁気ディスク群との記憶領域の一部であるトラックの位置を示すアドレスであって、前記第１の磁気ディスク群と前記第２の磁気ディスク群との間でデータコピーの対象となっているトラックのアドレスが書き込まれるコピーポインタ部と、
前記第１の磁気ディスク群と前記第２の磁気ディスク群との間で、データに差分があるか否かの情報が前記トラックごとに書き込まれるコピー差分管理テーブル部と、
前記第１の時間帯の設定情報と、前記第２の時間帯の設定情報とが書き込まれるオンオフタイマ管理テーブル部と、
前記磁気ディスク記憶装置を構成する磁気ディスクが、前記第１の磁気ディスク群に所属していることを示す情報と、前記第２の磁気ディスク群に所属していることを示す情報とが書き込まれるペア管理テーブル部と、
前記第１の磁気ディスク群と前記第２の磁気ディスク群との作動に関する情報が書き込まれるＲＡＩＤグループ状態管理テーブル部と、
を備えることを特徴とする磁気ディスクシステム。
【請求項２】
前記第２の磁気ディスク群を構成する磁気ディスクの台数は、前記第１の磁気ディスク群を構成する磁気ディスクの台数の半数以下であることを特徴とする請求項１に記載の磁気ディスクシステム。
【請求項３】
前記第１の磁気ディスク群から前記第２の磁気ディスク群にコピーするすべてのトラックのアドレスが、前記コピーポインタ部に順番に書き込まれ、
前記コピーポインタ部に書き込まれたアドレスごとに順番に、前記第１の磁気ディスク群から前記第２の磁気ディスク群に前記アドレスの示すトラックをコピーする際に、
前記コピーポインタ部に書き込まれたアドレスの示すトラックにおいて、前記第１の磁気ディスク群と前記第２の磁気ディスク群とでデータに差分があることを示す情報が前記コピー差分管理テーブル部に書き込まれている場合にのみ前記第１の磁気ディスク群から前記第２の磁気ディスク群に前記トラックのコピーを行うことを特徴とする請求項１又は２に記載の磁気ディスクシステム。
【請求項４】
前記第１の磁気ディスク群から前記第２の磁気ディスク群にデータのコピーをしている最中にホストからデータの読み込み又はデータの書き込みのアクセスがあったとき、
アクセスのあったトラックのアドレスが、既にコピーポインタ部に書き込まれていた場合は、前記ホストを前記第２の磁気ディスク群とアクセスさせ、かつ、前記アクセスが書き込みの場合は、前記コピー差分管理テーブル部に当該アクセスのあったトラックにデータの差分があることを示す情報が書き込まれ、
アクセスのあったトラックのアドレスが、まだコピーポインタ部に書き込まれていない場合は、前記ホストを前記第１の磁気ディスク群とアクセスさせ、かつ、前記アクセスが書き込みの場合は、前記コピー差分管理テーブル部に当該アクセスのあったトラックにデータの差分があることを示す情報が書き込まれる、
ことを特徴とする請求項１から３の何れか１項に記載の磁気ディスクシステム。
【発明の詳細な説明】
【技術分野】
【０００１】
本発明は、複数のＲＡＩＤから構成された磁気ディスクシステムに関し、特に、一部のＲＡＩＤを停止させる磁気ディスクシステムに関するものである。
【背景技術】
【０００２】
近年、高速大容量でありながら、コストを抑えられるディスクシステムとしてＭＡＩＤ（Ｍａｓｓｉｖｅ  Ａｒｒａｙｓ  ｏｆ  Ｉｎａｃｔｉｖｅ  Ｄｉｓｋｓ）システムが広まってきている。これは、少数の磁気ディスクからなるＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）グループを多数構成し、ＲＡＩＤグループ単位で磁気ディスクの回転を制御することによって、データアクセスのない磁気ディスクは回転を停止し、アクセスが発生したときのみに磁気ディスクを回転させることによって、コストメリットを引き出そうとするものである。
【０００３】
しかしながら、一度回転を止めてスタンバイ状態となった磁気ディスクをアクセス可能なアクティブ状態（正常状態）にしてアクセスするには、秒単位の時間が必要となりアクセス性能の大幅な低下の原因となっていた。
【０００４】
スタンバイ時から正常状態に復帰させてのアクセス性能を高めた磁気ディスク装置（特許文献１）が提案されている。特許文献１に記載された磁気ディスク装置は、ディスクの回転速度として、データ読み込み時の遅い回転速度と、データ書き込み時の早い回転速度が設定されており、これによりアクセス性能を高めることができるとしている。
【特許文献１】特開２００４−３６２７６８号公報
【発明の開示】
【発明が解決しようとする課題】
【０００５】
しかしながら、特許文献１に記載された磁気ディスク装置は、結局磁気ディスクを停止させるので、停止させることのできないオンライン業務を扱うユーザには、適用することができないという問題があった。
【０００６】
また、オンライン業務を行うユーザは、性能を重視するためにアクセス頻度の高いデータを保持する論理デバイスを物理デバイスに分散するように配置することが多く、アクセス頻度の低いＲＡＩＤグループだけ磁気ディスクの回転を停止させるＭＡＩＤシステムの適用も困難であった。
【０００７】
本発明は、このような実情に鑑みてなされたものであり、オンラインを停止することなくＲＡＩＤグループを停止させることにより、低消費電力であって、磁気ディスクの高寿命化を実現でき、応答速度の低下もない磁気ディスクシステムを提供しようとするものである。
【課題を解決するための手段】
【０００８】
本発明の課題は、下記の各発明によって解決することができる。
【０００９】
即ち、本発明の磁気ディスクシステムは、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）を構成した磁気ディスク群を複数備えた磁気ディスク記憶装置と、前記磁気ディスク記憶装置を制御する制御装置と、を有する磁気ディスクシステムであって、前記磁気ディスク記憶装置は、設定された第１の時間帯に電源が入っておりそれ以外の時間帯は電源が切れている第１の磁気ディスク群と、設定された第２の時間帯に電源が入っておりそれ以外の時間帯は電源が切れている第２の磁気ディスク群とを備え、前記第２の磁気ディスク群は、前記第１の磁気ディスク群よりも少ない台数の磁気ディスクで構成され、前記制御装置は、前記第１の磁気ディスク群と前記第２の磁気ディスク群の記憶領域の一部であるトラックの位置を示すアドレスであって、前記第１の磁気ディスク群と前記第２の磁気ディスク群との間でデータコピーの対象となっているトラックのアドレスが書き込まれるコピーポインタ部と、前記第１の磁気ディスク群と前記第２の磁気ディスク群との間で、データに差分があるか否かの情報が前記トラックごとに書き込まれるコピー差分管理テーブル部と、前記設定された第１の時間帯の設定情報と、前記設定された第２の時間帯の設定情報とが書き込まれるオンオフタイマ管理テーブル部と、前記磁気ディスク記憶装置を構成する磁気ディスクが、前記第１の磁気ディスク群と、前記第２の磁気ディスク群とのどちらに所属しているかを示す情報が書き込まれるペア管理テーブル部と、前記第１の磁気ディスク群と前記第２の磁気ディスク群とがそれぞれ、スタンバイ状態か否かの情報が書き込まれるＲＡＩＤグループ状態管理テーブル部と、を備えることを主要な特徴としている。
【００１０】
これにより、アクセス頻度の低い時間帯には、磁気ディスクの数の多いＲＡＩＤグループの電源を切り、磁気ディスクの数の少ないＲＡＩＤグループを稼働させることができるので、消費電力を低減することができる。また、磁気ディスクからの発熱量も減るので、空調の負荷も減少し、空調に必要な電力コストも低くできる。
【００１１】
更に、アクセス頻度の高い時間帯も、低い時間帯も、常にどれかのＲＡＩＤグループが稼働しているので、オンラインを停止する必要はなく、アクセス速度も低下しない。
更にまた、磁気ディスクを停止させるので、磁気ディスクの高寿命化を実現できると共に、頻繁なスピンアップ、スピンダウンがないので、平均故障間隔であるＭＴＢＦ（Ｍｅａｎ  Ｔｉｍｅ  Ｂｅｔｗｅｅｎ  Ｆａｌｕｒｅ）を向上させることができる。
【００１２】
また、本発明の磁気ディスクシステムは、前記第２の磁気ディスク群を構成する磁気ディスクの台数は、前記第１の磁気ディスク群を構成する磁気ディスクの台数の半数以下であることを主要な特徴としている。
【００１３】
更に、本発明の磁気ディスクシステムは、前記第１の磁気ディスク群から前記第２の磁気ディスク群にコピーするすべてのトラックのアドレスが、前記コピーポインタ部に順番に書き込まれ、前記コピーポインタ部に書き込まれたアドレスごとに順番に、前記第１の磁気ディスク群から前記第２の磁気ディスク群に前記アドレスの示すトラックをコピーする際に、前記コピーポインタ部に書き込まれたアドレスの示すトラックにおいて、前記第１の磁気ディスク群と前記第２の磁気ディスク群とでデータに差分があることを示す情報が前記コピー差分管理テーブル部に書き込まれている場合にのみ前記第１の磁気ディスク群から前記第２の磁気ディスク群に前記トラックのコピーを行うことを主要な特徴としている。
【００１４】
これにより、アクセス頻度の高い時間帯に稼働しているＲＡＩＤグループと、アクセス頻度の低い時間帯に稼働しているＲＡＩＤグループとで、短時間に差分データのコピーが可能となる。
【００１５】
更にまた、前記第１の磁気ディスク群から前記第２の磁気ディスク群にデータのコピーをしている最中にホストからデータの読み込み又はデータの書き込みのアクセスがあったとき、
【００１６】
アクセスのあったトラックのアドレスが、既にコピーポインタ部に書き込まれていた場合は、前記ホストを前記第２の磁気ディスク群とアクセスさせ、かつ、前記アクセスが書き込みの場合は、前記コピー差分管理テーブル部に当該アクセスのあったトラックにデータの差分があることを示す情報が書き込まれ、アクセスのあったトラックのアドレスが、まだコピーポインタ部に書き込まれていない場合は、前記ホストを前記第１の磁気ディスク群とアクセスさせ、かつ、前記アクセスが書き込みの場合は、前記コピー差分管理テーブル部に当該アクセスのあったトラックにデータの差分があることを示す情報が書き込まれることを主要な特徴としている。
【００１７】
これにより、アクセス頻度高い時間帯に稼働するＲＡＩＤグループと、アクセス頻度の低い時間帯に稼働するＲＡＩＤグループとで、差分データのコピー中にホストからアクセス要求があっても、アクセス性能を下げることなくアクセスを可能とする。また、二つのＲＡＩＤグループのどちらにアクセスするかは自動的に切り換えられるので、ホストはどちらにアクセスするかを意識する必要がない。
【発明の効果】
【００１８】
以上、説明したように、本発明の磁気ディスクシステムによれば、二つのＲＡＩＤグループの稼働時間帯を別々に設定できる。
これにより、アクセス頻度の低い時間帯には、磁気ディスクの数の多いＲＡＩＤグループの電源を切り、磁気ディスクの数の少ないＲＡＩＤグループを稼働させることができるので、消費電力を低減することができる。
また、磁気ディスクからの発熱量も減るので、空調の負荷も減少し、空調に必要な電力コストも低くできる。
【００１９】
更に、アクセス頻度の高い時間帯も、低い時間帯も、常にいずれかのＲＡＩＤグループが稼働しているので、オンラインを停止する必要はなく、アクセス速度も低下しない。
更にまた、磁気ディスクを停止させるので、磁気ディスクの高寿命化を実現できると共に、頻繁なスピンアップ、スピンダウンがないので、平均故障間隔であるＭＴＢＦ（Ｍｅａｎ  Ｔｉｍｅ  Ｂｅｔｗｅｅｎ  Ｆａｌｕｒｅ）を向上させることができる。
【００２０】
アクセス頻度の高い時間帯に稼働しているＲＡＩＤグループと、アクセス頻度の低い時間帯に稼働しているＲＡＩＤグループとの間のデータコピーにおいては、データの差分のみコピーするので、短時間にコピーが可能となる。
【００２１】
また、アクセス頻度の高い時間帯に稼働しているＲＡＩＤグループと、アクセス頻度の低い時間帯に稼働しているＲＡＩＤグループとの間のデータコピー中にホストからアクセス要求があっても、ホストに意識させることなく、二つのＲＡＩＤグループへのアクセスを切り換えることが可能であり、アクセス性能も低下することがない。
【発明を実施するための最良の形態】
【００２２】
以下、添付図面を参照しながら、本発明の磁気ディスクシステムを実施するための最良の形態を詳細に説明する。
【００２３】
＜構成＞
図１は、本発明の磁気ディスクシステムの一実施形態を表した概略図である。本発明の磁気ディスクシステムは、ホスト１１と、ＰＣ１２と、制御装置２０と、磁気ディスク記憶装置３０とから構成されている。
【００２４】
ホスト１１と、ＰＣ１２とは、制御装置２０に接続されている。制御装置２０は、磁気ディスク記憶装置３０に接続されている。ホスト１１は、制御装置２０を介して磁気ディスク記憶装置３０に対してデータの書き込み、または、磁気ディスク記憶装置３０からのデータの読み込みを行う。
ＰＣ１２は、制御装置２０の様々な設定を行う。制御装置２０は、磁気ディスク記憶装置３０の制御を行う。
【００２５】
制御装置２０は、キャッシュメモリ２１と、シェアードメモリ２３と、制御部２３Ａとから構成されている。キャッシュメモリ２１には、ユーザデータ２２が一時的に保存される。即ち、ホスト１１がデータを磁気ディスク記憶装置３０に書き込む際には、ユーザデータは一時的にキャッシュメモリ２１に保存され、キャッシュメモリ２１から磁気ディスク記憶装置３０に書き込まれる。また、ホスト１１がデータを磁気ディスク記憶装置３０から読み込む際には、磁気ディスク記憶装置３０からのユーザデータは一時的にキャッシュメモリ２１に保存され、そこからホスト１１に渡される。このとき、キャッシュメモリ２１と磁気ディスク記憶装置３０とのユーザデータ２２の受け渡しは、制御部２３Ａによって制御される。
【００２６】
シェアードメモリ２３には、コピーポインタ２４と、コピー差分管理テーブル２５と、オンオフタイマ管理テーブル２６と、ペア管理テーブル２７と、ＲＡＩＤグループ状態管理テーブル２８とが作成されている。
【００２７】
コピーポインタ２４には、後述する論理ボリューム（正）３２と、論理ボリューム（副）３４との間で差分データのコピーを行う際にどのトラックまでコピーしたかを示す情報が書き込まれる。コピー差分管理テーブル２５には、論理ボリューム（正）３２と、論理ボリューム（副）３４との間で、差分が発生しているか否かのトラックごとの情報が書き込まれる。
【００２８】
オンオフタイマ管理テーブル２６には、論理ボリューム（正）３２と論理ボリューム（副）３４の電源が入っているか否かを示す情報と、ＲＡＩＤグループ（正）３１が電源オン、オフの対象となっているか否かを示す情報と、電源を入れる時刻と電源を切る時刻に関する情報とが書き込まれる。また、オンオフタイマ管理テーブル２６は、再スピンアップ後アクセス監視タイマ２６Ａを備えている。再スピンアップ後アクセス監視タイマ２６Ａには、後述する論理ボリューム（正）３２の再スピンアップ後再び電源を切るまでの設定時間が書き込まれる。
【００２９】
ペア管理テーブル２７には、論理ボリューム（正）３２と論理ボリューム（副）３４の配置、構成に関する情報と、電源オン、オフの対象となるボリュームの情報とが書き込まれる。ＲＡＩＤグループ状態管理デーブル２８には、論理ボリューム（正）３２と論理ボリューム（副）３４とを構成する各ＲＡＩＤグループが、正常動作中、正常からスタンバイへの過渡中、スタンバイから正常への過渡中、スタンバイ中のうちの何れかであることを示す情報が書き込まれる。
制御部２３Ａは、キャッシュメモリ２１とシェアードメモリ２３の内容を基に、後述する物理ボリューム３７の制御を行う。
【００３０】
磁気ディスク記憶装置３０は、ＲＡＩＤグループ（正）３１と、ＲＡＩＤグループ（副）３３とから構成されている。ＲＡＩＤグループ（正）３１とＲＡＩＤグループ（副）３３は、どちらも物理的なハードディスクである物理ボリューム３７から構成されており、例えば、ＲＡＩＤグループ（正）３１は、７２ＧＢのハードディスクを２台ずつをＲＡＩＤ０＋１で構成したもの１４セット（（２Ｄ＋２Ｄ）×１４＝５６台）で構成することができる。また、ＲＡＩＤグループ（副）３３は、３００ＧＢのハードディスク８台をＲＡＩＤ５で構成することができる。もちろんこれに限定されるものではなく、要求される容量に応じたＲＡＩＤグループの構成を取ることができる。
【００３１】
このように、ＲＡＩＤグループ（副）３３に容量の大きいハードディスクを使用することによって、全体の容量をＲＡＩＤグループ（正）とほぼ同じにしながら、ハードディスクの個数を大幅に少なくすることができる。これにより、ＲＡＩＤグループ（副）３３使用時には、電力コストを抑えることができ、ハードディスクからの発熱も低減されるので、室内の空調の電力コストを抑えることもできる。これらの電力コストの低減効果は、ＲＡＩＤグループ（副）のハードディスクの台数が、ＲＡＩＤグループ（正）のハードディスクの台数の半分以下であれば、十分な効果を得ることができ、ＲＡＩＤグループ（副）のハードディスクの台数が、ＲＡＩＤグループ（正）のハードディスクの台数の１／７以下であればきわめて大きな効果を得ることができる。
【００３２】
ＲＡＩＤグループ（正）３１は、論理ボリューム（正）３２と、非コピー対象論理ボリューム３５とから構成されている。論理ボリューム（正）３２は、ＲＡＩＤグループ（副）３３の論理ボリューム（副）３４にコピーされ、ミラーリングされている。非コピー対象論理ボリューム３５は、論理ボリューム（副）３４にコピーされない論理ボリュームのことである。
ＲＡＩＤグループ（副）は、論理ボリューム（副）３４から構成されている。
【００３３】
＜動作＞
本発明の一実施形態の動作について、図１を参照して説明する。
ＰＣ１２は、ペア管理テーブル２７と、オンオフタイマ管理テーブル２６の情報を作成し、シェアードメモリ２３にアクセスしてそれぞれのテーブルに書き込む。
【００３４】
テーブルへの書き込みが終了すると、ＰＣ１２は、制御部２３Ａにペアの作成、即ち論理ボリューム（正）３２の内容をコピーした論理ボリューム（副）３４の作成を指示する。制御部２３Ａは、ペア管理テーブル２７の内容を基にして磁気ディスク記憶装置３０を制御して、ＲＡＩＤグループ（正）３１の論理ボリューム（正）３２をコピーした論理ボリューム（副）３４をＲＡＩＤグループ（副）３３に作成する。
【００３５】
次に、制御部２３Ａは、オンオフタイマ管理テーブル２６を参照して、ＲＡＩＤグループ（正）３１の電源を落としてＲＡＩＤグループ（副）３３の電源を入れる時刻の情報を読み込んで、その時刻が来たときには、ＲＡＩＤグループ（副）３３の電源を入れてハードディスクのスピンアップを始める。
【００３６】
スピンアップが完了したところで、制御部２３Ａは、論理ボリューム（正）３２から論理ボリューム（副）３４へのコピーを行わせる。コピーは次のように行われる。即ち、コピーポインタ２４に論理ボリューム（正）３２の先頭アドレスが書き込まれる。次に、コピーポインタ２４に書き込まれたアドレスに対応するコピー差分管理テーブル２５内の情報が、論理ボリューム（正）３２と、論理ボリューム（副）３４とで、データに差分があることを示している場合（以後、差分ビットがオンの場合と称する）には、論理ボリューム（正）３２から論理ボリューム（副）３４に前記アドレスに対応するトラックのコピーが行われ、コピー差分管理テーブル２５に論理ボリューム（正）３２と、論理ボリューム（副）３４とでデータに差分がない旨の情報を書き込む（以後、差分ビットをオフにすると称する）。コピー完了後、コピーポインタ２４の値が次のアドレスの値に書き換えられる。
【００３７】
前記コピー差分管理テーブル２５内の情報が、論理ボリューム（正）３２と、論理ボリューム（副）３４とで、データに差分が無いことを示している場合（以後、差分ビットがオフの場合と称する）には、コピーは行われず、コピーポインタ２４の値が次のアドレスの値に書き換えられる。
【００３８】
このようにして、コピーポインタ２４には、論理ボリューム（正）３２の先頭アドレスから最終アドレスまでが書き込まれ、書き込まれたアドレスに対応するトラックのコピーが順番に行われる。
【００３９】
ここで、上記コピー動作中にホスト１１からユーザデータの読み込み、または、書き込みの要求が来た場合は以下のように処理される。
コピーポインタに既にそのアドレスが書き込まれたトラック（以後、コピーポインタが通過後トラックと称する）に対して読み込み、または、書き込みの要求が来た場合において、読み込みの場合は論理ボリューム（副）３４からデータを読み込み、書き込みの場合はコピー差分管理テーブル２５に差分が生じた旨の情報を書き込んで（以後、差分ビットをオンにすると称する）論理ボリューム（副）３４にデータを書き込む。
【００４０】
コピーポインタにまだそのアドレスが書き込まれていないトラック（以後、コピーポインタ通過前トラックと称する）に対して読み込み、または、書き込みの要求が来た場合において、読み込みの場合は論理ボリューム（正）３２からデータを読み込み、書き込みの場合は、差分ビットをオンにして論理ボリューム（正）３２にデータを書き込む。
【００４１】
このように、論理ボリューム（正）３２のトラックと、論理ボリューム（副）３４の対応するトラックとで、データに差分があるか否かの情報がコピー差分管理テーブル２５に書き込まれている。よって、論理ボリュームの（正）と（副）の間でデータのコピーをする際には、コピー差分管理テーブル２５を参照することにより、データに差分のあるトラックだけコピーすることができるので、全コピーをする場合と比較すると、短時間にコピーを行うことができる。
【００４２】
論理ボリュームの（正）３２から論理ボリューム（副）３４へのコピーを完了すると、制御部２３Ａは、論理ボリューム（正）の電源を落とす。これにより、アクセスの少ない夜間などにはハードディスクの数の多い論理ボリュームの（正）３２の電源を落とし、ハードディスクの数の少ない論理ボリューム（副）３４のみで動作させることが可能なので、ハードディスクの寿命を延ばし、電気コストを節約することができる。また、ハードディスクの数が少ないと発熱量も低減されるので、室内の空調の負荷が減り、空調に必要な電気コストを削減することも可能となる。
【００４３】
続いて、制御部２３Ａは、オンオフタイマ管理テーブル２６を参照して、ＲＡＩＤグループ（副）３３の電源を落とし、かつ、ＲＡＩＤグループ（正）３１の電源を入れる時刻の情報を読み込んで、その時刻が来たときには、ＲＡＩＤグループ（正）３１の電源を入れてハードディスクのスピンアップを始める。
【００４４】
スピンアップが完了すると、制御部２３Ａは、論理ボリュームの（副）３４から論理ボリューム（正）３２への差分コピーを実行させるが、これは、前述のコピーにおいて、論理ボリューム（正）３２と論理ボリュームの（副）３４を入れ替えたのと同じ動作を行わせる。
【００４５】
このようにして、ＲＡＩＤグループへのアクセスの多い時間帯は、ＲＡＩＤグループ（正）３１のみ稼働させ、少ない時間帯では、ＲＡＩＤグループ（副）３３のみ稼働させることが、オンオフタイマ管理テーブルの設定だけで簡単に実現できる。
【００４６】
＜論理ボリュームの正副ペアの作成＞
次に、論理ボリュームの正副ペアの作成について図２を参照して詳細に説明する。図２は、論理ボリュームペア作成のフロー図である。
ＰＣ１２は、論理ボリューム（正）３２及び論理ボリューム（副）３４の配置の情報と、電源オン、オフの対象となる論理ボリュームについての情報とを作成する（Ｓ２００）。
【００４７】
次に、ＰＣ１２は、ＲＡＩＤグループを構成するハードディスクに電源が入っているか否かの情報、ＲＡＩＤグループ（正）３１が電源オン、オフの対象となっているか否かを示す情報、電源を入れる時刻の設定、電源を切る時刻の設定についての情報を作成する（Ｓ２１０）。
【００４８】
その後、ＰＣ１２は、制御部２３Ａに対して論理ボリューム（正）３２のペアとなる、論理ボリューム（正）３２の内容がコピーされた論理ボリューム（副）３４の作成開始を指示する（Ｓ２２０）。
【００４９】
ＰＣ１２は、制御装置２０の制御部２３Ａと通信を行い、制御部２３Ａは、ＰＣ１２の指示を受け磁気ディスク記憶装置３０と通信を行い、磁気ディスク記憶装置３０の制御を行う（Ｓ２３０）。
制御部２３Ａは、ＲＡＩＤグループ（副）３３がスピンアップ中か確認し（Ｓ２４０）、スピンアップ中でないときは、ＲＡＩＤグループ（副）３３の電源を入れてスピンアップさせ（Ｓ２５０）、スピンアップ中のときはＳ２６０を実施する。
【００５０】
制御部２３Ａは、Ｓ２１０、Ｓ２００においてＰＣ１２が作成した情報をＰＣ１２から読み込み（Ｓ２６０）、Ｓ２１０で作成した情報をペア管理テーブル２７に書き込み（Ｓ２７０）、Ｓ２００で作成した情報をオンオフタイマ管理テーブル２６に書き込む（Ｓ２８０）。
【００５１】
また、制御部２３Ａは、ＰＣ１２からペア作成開始指示をされた論理ボリューム（正）３２と論理ボリューム（副）３４の全差分コピーを磁気ディスク記憶装置３０に実施させる（Ｓ２９０）。
前記全差分コピーは次のように行われる。コピー差分管理テーブル２５のすべての差分ビットがオンにされる。次に、コピーポインタ２４に論理ボリューム（正）３２の先頭アドレスから最終アドレスまで順次書き込まれ、書き込まれたアドレスのトラックが論理ボリューム（副）３４にコピーされて、コピー差分管理テーブル２５の対応する差分ビットがオフにされる。このようにして、前記先頭アドレスから前記最終アドレスまでのすべてのトラックのコピーが行われる。
【００５２】
前記全差分コピー中にホスト１１からのアクセスがあった場合は、以下のように処理される。コピーポインタ通過前のトラックに読み込みのアクセスがされた場合は、論理ボリューム（正）３２から読み込みされる。
【００５３】
コピーポインタ通過前のトラックに書き込みのアクセスがされた場合は、論理ボリューム（正）３２に書き込みされる。コピーポインタ通過後のトラックに読み込みのアクセスがされた場合は、論理ボリューム（正）３２から読み込みされる。コピーポインタ通過後のトラックに書き込みのアクセスがされた場合は、コピー差分管理テーブル２５の差分ビットがオンにされて論理ボリューム（正）３２に書き込みされる。
全差分コピー完了後に、コピー差分管理テーブル２５の差分ビットがオンになっているトラックは、論理ボリューム（正）３２から論理ボリューム（副）３４にコピーされて、差分ビットがオフにされる。
【００５４】
次に、ペア作成が正常に終了した場合は、次のＳ３１０が実施され、正常に終了しなかった場合は、Ｓ２９０が再度実施される（Ｓ３００）。
制御部２３Ａは、ＲＡＩＤグループ（副）３３の電源を落としてスピンダウンさせる（Ｓ３１０）。
【００５５】
ＰＣ１２は、ペア作成が正常に終了した場合は、処理を終了し、ペア作成が正常に終了しなかった場合は、エラーを報告して（Ｓ３３０）処理を終了する（Ｓ３２０）。
【００５６】
＜論理ボリューム（正）、（副）の定期的切り換え＞
次に論理ボリューム（正）と論理ボリューム（副）の切り替えについて、図３を参照して詳細に説明する。図３は、論理ボリューム（正）、（副）の切り換えフロー図である。
【００５７】
制御部２３Ａは、オンオフタイマ管理テーブル２６を参照して、論理ボリューム（正）が電源オン、オフの切り替えの対象となっているか否か、即ち、オンオフ機能が無効と設定されている否か判断し、無効と設定されている場合は、Ｓ３６に飛んで処理を終了する（Ｓ３０）。
【００５８】
電源オン、オフの切り替えの対象となっている場合、即ち、オンオフ機能が有効と設定されている場合については、次のＳ３１を実行する。
次に、制御部２３Ａは、オンオフタイマ管理テーブル２６を参照し電源を落とす時刻か否か判断する。電源を落とす時刻になっている場合は、後述する図４のフローを実施し、電源を落とす時刻になっていない場合は、次のＳ３２を実施する（Ｓ３１）。
【００５９】
制御部２３Ａは、ＲＡＩＤグループ状態管理テーブル２８を参照し、ＲＡＩＤグループ（正）の動作状態がスタンバイ過渡、または、スタンバイと表示されている場合、即ち、ＲＡＩＤグループ（正）がスピンダウン中の場合であって、ホスト１１からアクセスがあった場合は、後述する図５のフローを実施し、そうでない場合は、Ｓ３３を実施する（Ｓ３２）。
【００６０】
制御部２３Ａは、図５に示すフローを実施した場合、即ち、ＲＡＩＤグループ（正）を再スピンアップした場合は、再スピンアップ後アクセス監視タイマ（２６Ａ）を参照し、再スピンアップ後アクセス監視タイマ（２６Ａ）に設定された時間が経過したか否か判断し、経過していた場合は後述する図６のフローを実施してＲＡＩＤグループ（正）をスピンダウンさせる（Ｓ３３）。
【００６１】
Ｓ３３に該当しない場合は、制御部２３Ａは、オンオフタイマ管理テーブル２６を参照し電源を入れる時刻か否か判断して、電源を入れる時刻の場合は、後述する図７のフローを実施し、電源を入れる時刻でない場合は、次のＳ３５を実施する（Ｓ３４）。
【００６２】
制御部２３Ａは、オンオフタイマ管理テーブル２６に示されたＲＡＩＤグループ（正）の電源を入れる時刻が経過しており、かつ、ＲＡＩＤグループ管理テーブル２８に示されたＲＡＩＤグループ（正）の状態が正常でなかった場合は、後述する図７のフローを実施し、そうでない場合はＳ３６で処理を終了する。
Ｓ３６からは、再びＳ３０に飛んで同様に繰り返し実施してゆく。
【００６３】
＜ＲＡＩＤグループ（副）側へのデータ更新とＲＡＩＤグループ（正）のスピンダウン＞
次に、ＲＡＩＤグループ（正）３１からＲＡＩＤグループ（副）３３へのデータの更新と、ＲＡＩＤグループ（正）３１のスピンダウンについて図４を参照して説明する。図４は、ＲＡＩＤグループ（副）３３のデータ更新とＲＡＩＤグループ（正）３１のスピンダウンのフロー図である。
【００６４】
制御部２３Ａは、ＲＡＩＤグループ（副）３３の電源を入れてスピンアップさせる（Ｓ４１）。次に、制御部２３Ａは、論理ボリューム（正）３２から論理ボリューム（副）３４に差分データのコピーを行わせる（Ｓ４２）。
【００６５】
差分コピーが正常に終了した場合、即ち、ペア作成が正常に終了した場合は次のステップを実施して、そうでない場合は、Ｓ４２に戻る（Ｓ４３）。
制御部２３Ａは、ＲＡＩＤグループ状態管理テーブル２８のＲＡＩＤグループ（正）３１の状態表示をスタンバイに変更して（Ｓ４４）、ＲＡＩＤグループ（正）３１の電源を落としてスピンダウンさせる（Ｓ４５）。
Ｓ４５が終了すると、図３のフローのＳ３２から実行される。
【００６６】
＜ＲＡＩＤグループ（正）スピンダウン中にアクセスがあった場合の処理＞
次に、ＲＡＩＤグループ（正）３１がスピンダウン中にホスト１１からアクセスがあった場合の処理について図５を参照して説明する。図５は、ＲＡＩＤグループ（正）３１スピンダウン中の動作のフロー図である。
【００６７】
制御部２３Ａは、ホスト１１からアクセス要求があった論理ボリュームが、論理ボリューム（副）３４へのコピー対象となっているものか否かの判断を行い、コピー対象となっている場合は、Ｓ５２を実行し、コピー対象となっていない場合は、Ｓ５５を実行する（Ｓ５１）。
【００６８】
コピー対象となっている場合は、ホスト１１からのアクセスがライトか否かの判断を行い、アクセスがライトの場合はＳ５３を実行し、ライトでない場合はＳ５４を実行する（Ｓ５２）。
【００６９】
アクセスがライトの場合は、制御部２３Ａは、ホストからの書き込みを論理ボリューム（副）３４に行い、コピー差分管理テーブル２６の対応する差分ビットをオンにして（Ｓ５３）、Ｅｎｄとなる。
Ｓ５２にて、アクセスがライトでない場合、即ちリードの場合は、制御部２３Ａは、論理ボリューム（副）３４から読み込み処理を行って（Ｓ５４）、Ｅｎｄとなる。
【００７０】
Ｓ５１にて、論理ボリューム（副）３４へのコピー対象となっていないと判断された場合、制御部２３Ａは、非コピー対象論理ボリューム３５がスピンアップ中か否かの判断を行い、スピンアップ中の場合は、Ｓ５８を実行し、スピンアップ中でない場合は、Ｓ５６を実行する（Ｓ５５）。
【００７１】
スピンアップ中でなかった場合は、この非コピー対象論理ボリューム３５を含んでいるＲＡＩＤグループ（正）３１をスピンアップする（Ｓ５６）。スピンアップ後、ＲＡＩＤグループ状態管理テーブル２８の対応するＲＡＩＤグループ（正）３１の状態を正常に変更する（Ｓ５７）。
【００７２】
変更終了後、制御部２３Ａは、当該非コピー対象論理ボリューム３５へのアクセスを行う（Ｓ５８）。アクセス終了後、制御部２３Ａは、再スピンアップ後アクセス監視タイマ２６Ａの設定を行いＥｎｄとなる。
Ｅｎｄまで行った後は、図３のフロー図のＳ３３から実行を行う。
【００７３】
＜非コピー対象論理ボリューム３５のスピンダウン＞
次に、非コピー対象論理ボリューム３５のスピンダウンについて、図６を参照して説明する。図６は、非コピー対象論理ボリューム３５のスピンダウンのフロー図である。
【００７４】
制御部２３Ａは、非コピー対象論理ボリューム３５を含んだＲＡＩＤグループ（正）３１をスピンダウンする（Ｓ６２）。
次に、制御部２３Ａは、ＲＡＩＤグループ状態管理テーブル２８の対応するＲＡＩＤグループ（正）３１の状態をスタンバイに変更する（Ｓ６３）。
変更後、図３のフロー図のＳ３４から実行を行う。
【００７５】
＜ＲＡＩＤグループ（正）側へのデータ更新とＲＡＩＤグループ（副）側のスピンダウン＞
次に、ＲＡＩＤグループ（副）３３からＲＡＩＤグループ（正）３１へのデータの更新と、ＲＡＩＤグループ（副）３３のスピンダウンについて図７を参照して説明する。図７は、ＲＡＩＤグループ（正）３１のデータ更新とＲＡＩＤグループ（副）３３のスピンダウンのフロー図である。
【００７６】
制御部２３Ａは、ＲＡＩＤグループ状態管理テーブル２８を参照して、ＲＡＩＤグループ（正）の状態がスタンバイか否か確認し、スタンバイの場合は、Ｓ７２を実行し、スタンバイでない場合は、Ｓ７７を実行する（Ｓ７１）。
【００７７】
スタンバイの場合は、制御部２３Ａは、ＲＡＩＤグループ（正）３１の電源を入れてスピンアップさせる（Ｓ７２）。
スピンアップ後、制御部２３Ａは、ＲＡＩＤグループ状態管理テーブル２８の内容をスタンバイからスタンバイ過渡に変更する（Ｓ７３）。
【００７８】
次に、制御部２３Ａは、ＲＡＩＤグループ（副）３３からＲＡＩＤグループ（正）への差分コピーが完了したか否か確認し、コピーが完了している場合は、Ｓ７５を実行し、完了していない場合は、コピー差分管理テーブル２６の差分ビットをチェックして、差分ビットがオンとなっているトラックのみ論理ボリューム（副）３４から論理ボリューム（正）３２にコピーを行って（Ｓ７８）Ｅｎｄとなる。
【００７９】
コピーが完了している場合は、ＲＡＩＤグループ状態管理テーブル２８の内容を正常に変更して（Ｓ７５）、ＲＡＩＤグループ（副）３３の電源を切りスピンダウンさせて（Ｓ７６）Ｅｎｄとなる。
【００８０】
Ｓ７１において、スタンバイではなかった場合は、ＲＡＩＤ状態管理テーブルの内容がスタンバイ過渡中か否か確認し、過渡中の場合は、Ｓ７４から実行し、過渡中でない場合即ち正常の場合はＥｎｄとなる。
Ｅｎｄとなった場合は、図３のフロー図において、Ｓ３４からこのフローに飛んだ場合はＳ３５から実行し、Ｓ３５からこのフローに飛んだ場合はＳ３６に飛ぶ。
【００８１】
＜論理ボリューム（正）から論理ボリューム（副）への初期コピー＞
論理ボリューム（正）３２から論理ボリューム（副）３４への初期コピーについて図７（Ａ）を参照して更に詳しく説明する。図７（Ａ）は、論理ボリューム（正）から論理ボリューム（副）への全差分コピーの概要を示す概要図である。
【００８２】
コピー差分管理テーブル２５には、論理ボリューム（正）３２と論理ボリューム（副）３４の対応するトラックごとに、データに差分があるか否かを示す情報（以後、差分トラックビットと称する。）を有している。論理ボリューム（正）３２から論理ボリューム（副）３４への初期コピーの場合は、すべての差分ビットがオンされる。
【００８３】
制御部２３Ａは、コピーポインタ２４に差分トラックビットの先頭トラックのアドレスから最終トラックのアドレスまでを順番に書き込み、書き込まれたアドレスの差分トラックビットを参照して、差分ビットに対応するトラックを論理ボリューム（正）３２から論理ボリューム（副）３４にコピーを行い、この差分ビットをオフにする。
【００８４】
これにより、論理ボリューム（正）３２から論理ボリューム（副）３４へのコピー行うことができる。
ここで、コピー中にホスト１１からアクセスがあった場合は、次のように処理される。
コピーポインタ２４の通過後のトラックにアクセスがあった場合は、制御部２３Ａは、論理ボリューム（正）３２に対してアクセスを行わせ、アクセスが書き込みの場合は、対応する差分ビットをオンにする。
【００８５】
コピーポインタ２４の通過前のトラックにアクセスがあった場合は、制御部２３Ａは、論理ボリューム（正）３２に対してアクセスを行わせる。
コピーポインタ２４の通過後のトラックに書き込みがあったときに生じた論理ボリューム（正）３２と論理ボリューム（副）３４の差分データ、及び、全差分コピーがすべて完了した後、論理ボリューム（正）３２に書き込みがあったときに生じた論理ボリューム（正）３２と論理ボリューム（副）３４の差分データが、後述する、論理ボリューム（正）３２から論理ボリューム（副）３４への差分コピー対象となる。
【００８６】
＜論理ボリューム（正）から論理ボリューム（副）への差分コピー＞
論理ボリューム（正）３２から論理ボリューム（副）３４への差分コピーについて図８を参照して更に詳しく説明する。図８は、論理ボリューム（正）から論理ボリューム（副）への差分コピーの概要を示す概要図である。
【００８７】
コピー差分管理テーブル２５には、論理ボリューム（正）３２と論理ボリューム（副）３４の対応するトラックごとに、データに差分があるか否かを示す情報（以後、差分トラックビットと称する。）を有しており、データに差分がある場合は差分ビットがオンに、差分がない場合は差分ビットがオフになっている。
【００８８】
制御部２３Ａは、コピーポインタ２４に差分トラックビットの先頭トラックのアドレスから最終トラックのアドレスまでを順番に書き込み、書き込まれたアドレスの差分トラックビットを参照して、差分ビットがオンのときのみ、差分ビットに対応するトラックを論理ボリューム（正）３２から論理ボリューム（副）３４にコピーを行い、差分ビットをオフにする。
【００８９】
これにより、論理ボリューム（正）３２から論理ボリューム（副）３４へのコピーをもれなく、差分のあるトラックだけコピーすることができる。よって、全コピーするよりも迅速に行うことができる。
ここで、コピー中にホスト１１からアクセスがあった場合は、次のように処理される。
コピーポインタ２４の通過後のトラックにアクセスがあった場合は、制御部２３Ａは、論理ボリューム（副）３４に対してアクセスを行わせ、アクセスが書き込みの場合は、対応する差分ビットをオンにする。
【００９０】
コピーポインタ２４の通過前のトラックにアクセスがあった場合は、制御部２３Ａは、論理ボリューム（正）３２に対してアクセスを行わせ、アクセスが書き込みであり、かつ、対応する差分ビットがオフの場合はオンにする。
【００９１】
これにより、制御部２３Ａが自動的に論理ボリューム（正）、（副）へのアクセスを切り換えるので、コピー中であってもホストは、論理ボリューム（正）と（副）を意識することなく、磁気ディスク記憶装置に対してアクセスすることができる。
【００９２】
＜論理ボリューム（副）から論理ボリューム（正）への差分コピー＞
論理ボリューム（副）３４から論理ボリューム（正）３２への差分コピーについて図９を参照して更に詳しく説明する。図９は、論理ボリューム（副）３４から論理ボリューム（正）３２への差分コピーの概要を示す概要図である。
【００９３】
前記論理ボリューム（正）から論理ボリューム（副）への差分コピーと同様であり、制御部２３Ａは、コピーポインタ２４に差分トラックビットの先頭トラックのアドレスから最終トラックのアドレスまでを順番に書き込み、書き込まれたアドレスの差分トラックビットを参照して、差分ビットがオンのときのみ、差分ビットに対応するトラックを論理ボリューム（副）３４から論理ボリューム（正）３２にコピーを行い、差分ビットをオフにする。
【００９４】
これにより、論理ボリューム（副）３４から論理ボリューム（正）３２へのコピーをもれなく、差分のあるトラックだけコピーすることができる。よって、全コピーするよりも迅速に行うことができる。
ここで、コピー中にホスト１１からアクセスがあった場合は、次のように処理される。
コピーポインタ２４の通過後のトラックにアクセスがあった場合は、制御部２３Ａは、論理ボリューム（正）３２に対してアクセスを行わせ、アクセスが書き込みの場合は、対応する差分ビットをオンにする。
【００９５】
コピーポインタ２４の通過前のトラックにアクセスがあった場合は、制御部２３Ａは、論理ボリューム（副）３４に対してアクセスを行わせ、アクセスが書き込みであり、かつ、対応する差分ビットがオフの場合はオンにする。
【００９６】
これにより、制御部２３Ａが自動的に論理ボリューム（正）、（副）へのアクセスを切り換えるので、コピー中であってもホストは、論理ボリューム（正）と（副）を意識することなく、磁気ディスク記憶装置に対してアクセスすることができる。
【００９７】
＜コピー差分管理テーブルを２個使用した差分コピー＞
論理ボリューム（正）３２と論理ボリューム（副）３４との間の差分コピーは、コピー差分管理テーブルを２個使用することによって行うこともできる。図１０を参照して詳細に説明する。図１０は、コピー差分管理テーブルを２個使用した差分コピーの概要を示す概要図である。
【００９８】
この場合、論理ボリューム（正）から論理ボリューム（副）に差分コピーするために使用するコピー差分管理テーブル２５Ａと、論理ボリューム（副）から論理ボリューム（正）に差分コピーするために使用するコピー差分管理テーブル２５Ｂとを使用する。
【００９９】
論理ボリューム（正）から論理ボリューム（副）に差分コピーするときは、制御部２３Ａは、コピーポインタ２４に差分トラックビットの先頭トラックのアドレスから最終トラックのアドレスまでを順番に書き込み、書き込まれたアドレスについてコピー差分管理テーブル２５Ａを参照し、差分ビットがオンのときのみ、差分ビットに対応するトラックを論理ボリューム（正）３２から論理ボリューム（副）３４にコピーを行い、コピー後対応するコピー差分管理テーブル２５Ａとコピー差分管理テーブル２５Ｂの両方の差分ビットをオフにする。
【０１００】
ここで、コピー中にホスト１１からアクセスがあった場合は、次のように処理される。
制御部２３Ａは、コピー差分管理テーブル２５Ａを参照し、アクセスがあったトラックの差分ビットがオフの場合は、論理ボリューム（副）３４に対してアクセスを行わせ、アクセスが書き込みのときは、書き込み後コピー差分管理テーブル２５Ｂの対応する差分ビットをオンにする。
【０１０１】
アクセスがあったトラックの差分ビットがオンの場合は、対応するトラックを論理ボリューム（正）３２から論理ボリューム（副）３４にコピーを行い、コピー差分管理テーブル２５Ａの差分ビットをオフにして、論理ボリューム（副）３４に対してアクセスを行わせる。アクセスが書き込みの場合は、書き込んだ後コピー差分管理テーブル２５Ｂの対応する差分ビットをオフにする。
【０１０２】
このように、コピー差分管理テーブルを２個使用した場合は、差分コピー中にホスト１１からアクセスがあった場合でも、コピーポインタ２４の通過前か後かの判断をすることなく、アクセスすることが可能となる。
【０１０３】
以上、本発明の磁気ディスクシステムについて、具体的な実施の形態を示して説明したが、本発明はこれらに限定されるものではない。当業者であれば、本発明の要旨を逸脱しない範囲内において、上記各実施形態における磁気ディスクシステムの構成及び機能に様々な変更・改良を加えることが可能である。
【０１０４】
例えば、本発明の制御部が行う動作は、記憶装置上のプログラムをコンピュータが読み込み実行することによって、全く同様の作用効果を奏し、発明が解決しようとする課題を解決することができる。
【産業上の利用可能性】
【０１０５】
本発明の磁気ディスクシステムは、コンピュータのＣＰＵ、メモリ、補助記憶装置、ディスプレイ、入力デバイス等を含むハードウェア資源上に構築されたＯＳ、アプリケーション、データベース、ネットワークシステム等によって実現されるものであり、差分コピー、論理ボリューム（正）、（副）へのアクセス制御という情報処理が上記のハードウェア資源を用いて具体的に実現されるものであるから、自然法則を利用した技術的思想に該当するものであり、ＲＡＩＤを構成したディスクシステムを使用する情報処理産業において利用することができるものである。
【図面の簡単な説明】
【０１０６】
【図１】本発明の磁気ディスクシステムの一実施形態を表した概略図である。
【図２】論理ボリュームペア作成のフロー図である。
【図３】論理ボリューム（正）、（副）の切り換えフロー図である。
【図４】ＲＡＩＤグループ（副）３３のデータ更新とＲＡＩＤグループ（正）３１のスピンダウンのフロー図である。
【図５】ＲＡＩＤグループ（正）３１スピンダウン中の動作のフロー図である。
【図６】非コピー対象論理ボリューム３５のスピンダウンのフロー図である。
【図７】ＲＡＩＤグループ（正）３１のデータ更新とＲＡＩＤグループ（副）３３のスピンダウンのフロー図である。                                              （Ａ）論理ボリューム（正）から論理ボリューム（副）への全差分コピーの概要を示す概要図である。
【図８】論理ボリューム（正）から論理ボリューム（副）への差分コピーの概要を示す概要図である。
【図９】論理ボリューム（副）３４から論理ボリューム（正）３２への差分コピーの概要を示す概要図である。
【図１０】コピー差分管理テーブルを２個使用した差分コピーの概要を示す概要図である。
【符号の説明】
【０１０７】
１１      ホスト
１２      ＰＣ
２０      制御装置
２１      キャッシュメモリ
２２      ユーザデータ
２３      シェアードメモリ
２３Ａ    制御部
２４      コピーポインタ
２５      コピー差分管理テーブル
２５Ａ    コピー差分管理テーブル
２５Ｂ    コピー差分管理テーブル
２６      オンオフタイマ管理テーブル
２６Ａ    再スピンアップ後アクセス監視タイマ
２７      ペア管理テーブル
２８      ＲＡＩＤグループ状態管理テーブル
３０      磁気ディスク記憶装置
３１      ＲＡＩＤグループ（正）
３２      論理ボリューム（正）
３３      ＲＡＩＤグループ（副）
３４      論理ボリューム（副）
３５      非コピー対象論理ボリューム
３７      物理ボリューム
【図１】
2008257638.tif 000003
【図２】
2008257638.tif 000004
【図３】
2008257638.tif 000005
【図４】
2008257638.tif 000006
【図５】
2008257638.tif 000007
【図６】
2008257638.tif 000008
【図７】
2008257638.tif 000009
【図８】
2008257638.tif 000010
【図９】
2008257638.tif 000011
【図１０】
2008257638.tif 000012